(57)【特許請求の範囲】
【請求項１】
通常時に送出する第１コンテンツが収録される第１記憶部と、
非常時に送出する第２コンテンツが予め収録される第２記憶部と、
上位装置からのスタンバイ指示に従って前記第１記憶部から前記第１コンテンツの事前読出しを行う第１スタンバイを実行し、前記第１スタンバイの状態下で前記第１コンテンツを変更するために削除するときは、前記第２記憶部から前記第２コンテンツの事前読出しを行う第２スタンバイを実行し、前記第２スタンバイが完了した場合は前記第１コンテンツを削除し、前記第２スタンバイが完了しなかった場合は前記第１コンテンツの削除を行わないように制御する制御手段と
を具備することを特徴とするビデオサーバ。
【請求項２】
前記制御手段は、前記第２スタンバイの状態下で前記第１コンテンツの再収録がスタンバイ位置まで完了した場合は、前記第２スタンバイを解除して前記第１スタンバイを再実行することを特徴とする請求項１に記載のビデオサーバ。
【請求項３】
通常時に送出する第１コンテンツが収録される第１記憶部と、
非常時に送出する第２コンテンツが予め収録される第２記憶部とを具備するビデオサーバに用いられる方法であって、
上位装置からのスタンバイ指示に従って前記第１記憶部から前記第１コンテンツの事前読出しを行う第１スタンバイを実行し、
前記第１スタンバイの状態下で前記第１コンテンツを変更するために削除するときは、前記第２記憶部から前記第２コンテンツの事前読出しを行う第２スタンバイを実行し、
前記第２スタンバイが完了した場合は前記第１コンテンツを削除し、前記第２スタンバイが完了しなかった場合は前記第１コンテンツの削除を行わないように制御することを特徴とする送出スタンバイ方法。
【請求項４】
前記制御することは、前記第２スタンバイの状態下で前記第１コンテンツの再収録がスタンバイ位置まで完了した場合は、前記第２スタンバイを解除して前記第１スタンバイを再実行することを特徴とする請求項３に記載の送出スタンバイ方法。
【発明の詳細な説明】
【技術分野】
【０００１】
本発明の実施形態は、放送番組を送出するビデオサーバ及び送出スタンバイ方法に関する。
【背景技術】
【０００２】
放送局向けビデオサーバは、地上放送、ＢＳ（放送衛星）放送、ＣＳ（通信衛星）放送へとコンテンツが大容量化、多チャネル化してきた。その結果、コンテンツの大容量化はビデオサーバへのコンテンツの収録や削除などの操作時間の増加を招き、ビデオサーバへのコンテンツに対する操作を放送直前まで実施する必要が発生した。また、多チャンネル化により、ビデオサーバへの制御数が増加し、ビデオサーバは複数の制御ポートを持ち複数の制御に対応する必要が発生した。
【０００３】
一方、ビデオサーバは、放送開始時に確実にコンテンツを再生できるように、現在再生中のコンテンツの次の素材を２つないし３つ程度のコンテンツの放送開始位置を事前にデコードして放送開始に備えている（スタンバイ）機能があり、放送直前のコンテンツの変更に支障をきたす場合があるという問題がある。
【０００４】
また、複数の制御が同時にビデオサーバに対して行われた場合、ある制御ポートで放送予定のコンテンツを、別の制御ポートでは削除して、放送に支障を来す場合があるという問題がある。
【先行技術文献】
【特許文献】
【０００５】
【特許文献１】特開２００９−１７１３６１号公報
【発明の概要】
【発明が解決しようとする課題】
【０００６】
ビデオサーバは、放送開始時に確実にコンテンツを再生できるように、現在再生中のコンテンツの次のコンテンツを２つないし３つ程度の放送開始位置を事前にデコードして放送開始に備えている（スタンバイ）機能がある。放送直前のコンテンツの変更を行う場合、放送の安全性を考慮して事前にスタンバイしたコンテンツを停止するため、コンテンツ変更後にスタンバイが遅れた場合、またはスタンバイ自体が失敗した場合、放送に支障をきたす場合があるという問題がある。
【０００７】
本実施形態の目的は、放送直前のコンテンツの変更を安全に実施できるようにするビデオサーバ及び送出スタンバイ方法を提供することにある。
【課題を解決するための手段】
【０００８】
本実施形態に係るビデオサーバは、通常時に送出する第１コンテンツが収録される第１記憶部と、非常時に送出する第２コンテンツが予め収録される第２記憶部と、上位装置からのスタンバイ指示に従って前記第１記憶部から前記第１コンテンツの事前読出しを行う第１スタンバイを実行し、前記第１スタンバイの状態下で前記第１コンテンツを変更するために削除するときは、前記第２記憶部から前記第２コンテンツの事前読出しを行う第２スタンバイを実行し、前記第２スタンバイが完了した場合は前記第１コンテンツを削除し、前記第２スタンバイが完了しなかった場合は前記第１コンテンツの削除を行わないように制御する制御手段とを具備する。
【０００９】
本実施形態に係る送出スタンバイ方法は、通常時に送出する第１コンテンツが収録される第１記憶部と、非常時に送出する第２コンテンツが予め収録される第２記憶部とを具備するビデオサーバに用いられる方法であって、上位装置からのスタンバイ指示に従って前記第１記憶部から前記第１コンテンツの事前読出しを行う第１スタンバイを実行し、前記第１スタンバイの状態下で前記第１コンテンツを変更するために削除するときは、前記第２記憶部から前記第２コンテンツの事前読出しを行う第２スタンバイを実行し、前記第２スタンバイが完了した場合は前記第１コンテンツを削除し、前記第２スタンバイが完了しなかった場合は前記第１コンテンツの削除を行わないように制御するものである。
【図面の簡単な説明】
【００１０】
【図１】本実施形態に係るビデオサーバを含むシステム全体図である。
【図２】スタンバイ状態のコンテンツを削除した場合の動作を示す図。
【図３】コンテンツが再収録された場合の動作を示す図。
【発明を実施するための形態】
【００１１】
以下、図面を参照しながら本実施形態に係るビデオサーバ及び送出スタンバイ方法を説明する。
【００１２】
図１は、本実施形態に係るビデオサーバを含むシステム全体図である。ビデオサーバ５は、ビデオカメラ１や、映像記録メディア２を再生する再生デッキ３などからの映像信号を入力し、あるいはノンリニア編集機４から映像ファイルを受信し、ビデオサーバ内の記憶部にコンテンツとして収録する。また、ビデオサーバ５は、収録したコンテンツを再生し、放送設備７や映像確認用モニタ８へ映像信号として送出する。これらの収録動作、再生送出動作は操作端末６からの制御によって実行される。
【００１３】
次に、本実施形態に係るビデオサーバ５の動作について各実施例に従って説明する。
【００１４】
（実施例１）  
図２は、ビデオサーバ５においてスタンバイ状態のコンテンツを削除した場合の動作を示す図である。ビデオサーバ５は、コンテンツの収録やスタンバイ制御を行う制御部５１と、通常時に送出する通常コンテンツ（コンテンツＣ１）が収録される通常コンテンツ記憶部５２と、非常時に送出する救済コンテンツが予め収録される救済コンテンツ記憶部５３とを備える。なお、スタンバイ状態とは、コンテンツの放送開始位置を事前にデコードして放送開始に備えている状態をいう。
【００１５】
ビデオサーバ５の制御部５１は、自動番組送出設備（ＡＰＣ）等の放送システムから放送予定のコンテンツＣ１のスタンバイ指示を受けると（ステップＳ１１）、通常コンテンツ記憶部５２からコンテンツＣ１の放送開始位置の映像を事前に読み出して放送開始に備えるスタンバイ状態に遷移する（ステップＳ１２）。
【００１６】
例えば、このスタンバイ状態のコンテンツＣ１をユーザが変更する場合、コンテンツ管理システムからビデオサーバ５に対して通常コンテンツＣ１の削除を指示する（ステップＳ１３）。制御部５１は、コンテンツＣ１が既にスタンバイ状態であれば、救済コンテンツをスタンバイする（ステップＳ１４）。救済コンテンツのスタンバイが完了した場合は、制御部５１は、削除要求があったコンテンツＣ１の削除を実施する（ステップＳ１５）。一方、救済コンテンツのスタンバイが完了しなかった場合は、コンテンツＣ１の削除は実施しない。
【００１７】
（実施例２）  
図３は、ビデオサーバ５において救済コンテンツのスタンバイ中に、コンテンツが再収録された場合の動作を示す図である。
【００１８】
ビデオサーバ５の制御部５１は、ＡＰＣ等の放送システムからコンテンツＣ１のスタンバイの指示を受けたときにコンテンツＣ１が未収録でスタンバイに失敗して救済コンテンツがスタンバイしている場合、または、上記実施例１のように救済コンテンツがスタンバイしている状態において、コンテンツ管理システムからビデオサーバ５にコンテンツＣ１の再度の収録指示を行う（ステップＳ２１）。制御部５１は、コンテンツＣ１の再収録を実施する（ステップＳ２２）。制御部５１は、コンテンツＣ１の再収録がスタンバイする予定であった位置まで収録が完了した場合は、救済コンテンツのスタンバイを解除して（ステップＳ２３）、収録中のコンテンツＣ１を再度スタンバイしなおす（ステップＳ２４）。
【００１９】
以上述べたように本実施形態に係るビデオサーバでは、すでにスタンバイ状態のコンテンツを削除した場合でも、削除したコンテンツの再収録に失敗して放送が途切れさせないように、予め収録済みの救済コンテンツを自動的にスタンバイするようにする。さらに、スタンバイ状態のコンテンツを削除して再度収録を行ない、スタンバイ位置まで収録をすると自動的に再度スタンバイを行なうようにしている。
【００２０】
したがって、本実施形態に係るビデオサーバによれば、放送直前のコンテンツの変更を放送に支障をきたすことなく安全に実施することが可能となる。
【００２１】
なお、いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１…ビデオカメラ、２…映像記録メディア、３…再生デッキ、４…ノンリニア編集機、５…ビデオサーバ、６…操作端末、７…放送設備、８…映像確認用モニタ。
【図１】
0005175950.tif 000002
【図２】
0005175950.tif 000003
【図３】
0005175950.tif 000004